(57)【要約】【課題】製造コストの上昇を伴うことなく電子機器側の仕様変更に容易に対応しつつも、良好なスイッチ操作感を実現する。【解決手段】スイッチ２０と回路基板との間に介挿される調整部材１０は、第１導電端子１１および第２導電端子１２が設けられた第１の面１０ｂと、第３導電端子１３および第４導電端子１４が設けられた第２の面１０ｃとを備える。第１導電端子１１と第３導電端子１３は電気的に接続されており、第２導電端子１２と第４導電端子１４は電気的に接続されている。第１導電端子１１および第２導電端子１２は、第１の面１０ｂがスイッチ２０に対向することにより、当該スイッチ２０の備える接続端子群２１、２２と電気的に接続可能とされている。第３導電端子１３および第４導電端子１４は、第２の面１０ｃが回路基板に対向することにより、当該回路基板の表面に設けられた接続端子群と電気的に接続可能とされている。第１の面１０ｂの法線方向と第２の面１０ｃの法線方向は異なる。【選択図】図１
2014130760.tif 000002
【特許請求の範囲】
【請求項１】
スイッチと回路基板との間に介挿される調整部材であって、
第１導電端子および第２導電端子が設けられた第１の面と、
第３導電端子および第４導電端子が設けられた第２の面とを備え、
前記第１導電端子と前記第３導電端子は電気的に接続されており、
前記第２導電端子と前記第４導電端子は電気的に接続されており、
前記第１導電端子および前記第２導電端子は、前記第１の面がスイッチに対向することにより、当該スイッチの備える接続端子群と電気的に接続可能とされており、
前記第３導電端子および前記第４導電端子は、前記第２の面が回路基板に対向することにより、当該回路基板の表面に設けられた接続端子群と電気的に接続可能とされており、
前記第１の面の法線方向と前記第２の面の法線方向は異なる、調整部材。
【請求項２】
前記第１の面の法線方向は、スイッチが備えるプッシュ式操作部の変位方向に一致するように定められている、請求項１に記載の調整部材。
【請求項３】
前記第１の面の法線方向は、スイッチが備えるスライド式操作部の変位方向と直交するように定められている、請求項１に記載の調整部材。
【請求項４】
前記第２の面は、前記第３導電端子および前記第４導電端子よりも前記第１の面から離れた位置まで延びる部分を有する、請求項１から３のいずれか一項に記載の調整部材。
【請求項５】
前記第１の面と前記第２の面がなす角度は鈍角である、請求項４に記載の調整部材。
【請求項６】
前記第３導電端子および前記第４導電端子は、前記第２の面の法線方向に延びている、請求項１から５のいずれか一項に記載の調整部材。
【請求項７】
前記第２の面には、前記回路基板の一部にはんだ付け可能とされた第５導電端子が設けられている、請求項１から６のいずれか一項に記載の調整部材。
【請求項８】
スイッチと、
回路基板と、
前記スイッチが装着される第１の面、および前記回路基板に装着される第２の面を有する調整部材とを備え、
前記第１の面には、前記スイッチが備える接続端子群と電気的に接続された第１導電端子および第２導電端子が設けられており、
前記第２の面には、前記回路基板が備える接続端子群と電気的に接続された第３導電端子および第４導電端子が設けられており、
前記第１導電端子と前記第３導電端子は電気的に接続されており、
前記第２導電端子と前記第４導電端子は電気的に接続されており、
前記第１の面の法線方向と前記第２の面の法線方向は異なる、スイッチユニット。
【請求項９】
前記第１の面の法線方向は、前記スイッチが備えるプッシュ式アクチュエータの変位方向に一致している、請求項８に記載のスイッチユニット。
【請求項１０】
前記第１の面の法線方向は、前記スイッチが備えるスライド式アクチュエータの変位方向と直交している、請求項８に記載のスイッチユニット。
【請求項１１】
前記スイッチの一部は、前記回路基板の厚みを規定する端面に対向するように配置されている、請求項８から１０のいずれか一項に記載のスイッチユニット。
【請求項１２】
前記スイッチの一部は、前記回路基板に形成された凹部内に配置されている、請求項８から１０のいずれか一項に記載のスイッチユニット。
【発明の詳細な説明】
【技術分野】
【０００１】
本発明は、スイッチと回路基板の間に介挿される調整部材に関する。また当該調整部材を介して一体とされたスイッチと回路基板を備えるスイッチユニットに関する。
【背景技術】
【０００２】
アクチュエータの位置に応じて接点同士の接続・非接続状態が切り替わるスイッチが回路基板上に直接実装されることにより、当該スイッチが備える接続端子群が回路基板上に設けられた接続端子群と電気的に接続される構成が知られている（例えば、特許文献１を参照）。
【０００３】
このようなスイッチユニットは電子機器に搭載され、当該電子機器の筺体に設けられた操作部とスイッチのアクチュエータが結合される。筺体の外部より操作部を操作することにより、筺体内に配置されたスイッチのアクチュエータが変位し、スイッチが備える接点同士の接続・被接続状態が変化する。
【先行技術文献】
【特許文献】
【０００４】
【特許文献１】特開平９−１２０７４２号公報
【発明の概要】
【発明が解決しようとする課題】
【０００５】
例えば電子機器の筺体にボタンが設けられており、当該ボタンの操作によりプッシュスイッチの押し子（アクチュエータ）が操作される構成の場合、良好な操作感を得るためには、ボタンの変位方向と押し子の変位方向とが一致していることを要する。
【０００６】
しかしながらボタンの筺体における位置などの仕様は電子機器ごとに異なり、良好な操作感を得るためには、搭載される電子機器ごとにスイッチユニットの設計をし直す必要がある。汎用品のスイッチを使用しようとすれば回路基板との位置関係等において設計上の制約が生じ、スイッチの標準化を断念すれば製造コストの上昇が避けられない。
【０００７】
よって本発明は、製造コストの上昇を伴うことなく電子機器側の仕様変更に容易に対応しつつも、良好なスイッチ操作感を実現しうる技術を提供することを目的とする。
【課題を解決するための手段】
【０００８】
上記の目的を達成するために、本発明がとりうる第１の態様は、スイッチと回路基板との間に介挿される調整部材であって、
第１導電端子および第２導電端子が設けられた第１の面と、
第３導電端子および第４導電端子が設けられた第２の面とを備え、
前記第１導電端子と前記第３導電端子は電気的に接続されており、
前記第２導電端子と前記第４導電端子は電気的に接続されており、
前記第１導電端子および前記第２導電端子は、前記第１の面がスイッチに対向することにより、当該スイッチの備える接続端子群と電気的に接続可能とされており、
前記第３導電端子および前記第４導電端子は、前記第２の面が回路基板に対向することにより、当該回路基板の表面に設けられた接続端子群と電気的に接続可能とされており、
前記第１の面の法線方向と前記第２の面の法線方向は異なる。
【０００９】
このような構成によれば、搭載される電子機器の仕様変更に応じて第１の面と第２の面のなす角度を定めるのみで、回路基板の実装面とスイッチが装着される面のなす角度を任意に定めることができる。したがって汎用品としてのスイッチおよび回路基板を使用しながらも、操作感が良好なスイッチユニットを構成することができる。
【００１０】
すなわち上記の目的を達成するために、本発明がとりうる第２の態様は、スイッチユニットであって、
スイッチと、
回路基板と、
前記スイッチが装着される第１の面、および前記回路基板に装着される第２の面を有する調整部材とを備え、
前記第１の面には、前記スイッチが備える接続端子群と電気的に接続された第１導電端子および第２導電端子が設けられており、
前記第２の面には、前記回路基板が備える接続端子群と電気的に接続された第３導電端子および第４導電端子が設けられており、
前記第１導電端子と前記第３導電端子は電気的に接続されており、
前記第２導電端子と前記第４導電端子は電気的に接続されており、
前記第１の面の法線方向と前記第２の面の法線方向は異なる。
【００１１】
上記の各態様において、前記第１の面の法線方向は、スイッチが備えるプッシュ式操作部の変位方向に一致するように定められている構成としてもよい。この場合、プッシュ式操作部の操作に伴う押圧力を確実に受け止めることができる。スイッチとしてスライド式操作部を備えるものを用いる場合、前記第１の面の法線方向は、当該スライド式操作部の変位方向と直交するように定められている構成とすればよい。
【００１２】
上記の各態様において、前記第２の面は、前記第３導電端子および前記第４導電端子よりも前記第１の面から離れた位置まで延びる部分を有する構成としてもよい。当該部分は、スイッチの操作によって調整部材を回路基板から剥離しようとする力が作用した場合に、回路基板に押し付けられる部分となる。したがって、調整部材の回路基板からの剥離を生じにくくすることができる。この特徴は、特に前記第１の面と前記第２の面がなす角度は鈍角である場合に有用である。
【００１３】
上記の各態様において、前記第３導電端子および前記第４導電端子は、前記第２の面の法線方向に延びている構成としてもよい。この場合、これらの導電端子が回路基板に形成された孔に挿入されて半田付け等がなされるため、調整部材の回路基板に対する固定強度を高めることができる。
【００１４】
前記第２の面には、前記回路基板の一部にはんだ付け可能とされた第５導電端子が設けられている構成としてもよい。この場合、当該導電端子が電気的接続に寄与するとしないとに関わらず、調整部材の回路基板に対する固定強度を高めることができる。
【００１５】
上記のスイッチユニットにおいて、前記スイッチの一部は、前記回路基板の厚みを規定する端面に対向するように配置されている構成としてもよい。あるいは、前記スイッチの一部は、前記回路基板に形成された凹部内に配置されている構成としてもよい。回路基板の厚みをスイッチの配置スペースに利用することにより、スイッチユニット全体の高さ寸法を小さくすることができ、省スペースの要求に応えることができる。
【発明の効果】
【００１６】
本発明によれば、製造コストの上昇を伴うことなく電子機器側の仕様変更に容易に対応しつつも、良好なスイッチ操作感を実現しうるスイッチが提供される。
【図面の簡単な説明】
【００１７】
【図１】本発明の第１の実施形態に係る調整部材とスイッチを示す斜視図である。
【図２】図１のスイッチを示す５面図である。
【図３】図１の調整部材を用いて構成されるスイッチユニットを示す図である。
【図４】図３のスイッチユニットの動作を説明するための図である。
【図５】本発明の第２の実施形態に係る調整部材を示す５面図である。
【図６】図５の調整部材を用いて構成されるスイッチユニットを示す図である。
【図７】スライドスイッチを用いた変形例を示す斜視図である。
【発明を実施するための形態】
【００１８】
添付の図面を参照しつつ、本発明の実施形態について以下詳細に説明する。なお以下の説明に用いる各図面では、各部材を認識可能な大きさとするために縮尺を適宜変更している。
【００１９】
図１は、本発明の第１の実施形態に係る調整部材１０にプッシュスイッチ２０が装着される様子を示す斜視図である。
【００２０】
図１の（ａ）に示すように、調整部材１０は、絶縁性の樹脂からなる本体部１０ａを備えている。本発明の第１の面としての本体部１０ａの前面１０ｂは傾斜面とされており、その法線方向は斜め下方を向いている。本発明の第２の面としての本体部１０ａの下面１０ｃは実質的な水平面とされており、その法線方向は鉛直下方を向いている。すなわち前面１０ｂと下面１０ｃの法線方向は異なっている。
【００２１】
前面１０ｂには、第１導電端子１１および第２導電端子１２が設けられている。下面１０ｃには、第３導電端子１３、第４導電端子１４、および第５導電端子１５が設けられている。第１導電端子１１と第２導電端子１２の表面は、前面１０ｂと実質的に同一平面をなしている。第３導電端子１３、第４導電端子１４、および第５導電端子１５は、それぞれ下面１０ｃより鉛直下方（法線方向）に延びている。また前面１０ｂには、一対の位置決め孔１６が形成されている。
【００２２】
第１導電端子１１と第３導電端子１３は、インサート成型により本体部１０ａ内に埋設された図示しないバスバーの両端である。また第２導電端子１２と第４導電端子１４は、インサート成型により本体部１０ａ内に埋設されたバスバーの両端である。すなわち、第１導電端子１１と第３導電端子１３は電気的に接続されている。また第２導電端子１２と第４導電端子１４は、電気的に接続されている。
【００２３】
プッシュスイッチ２０は、図２に示す周知の構成を有するものである。図２において（ａ）は上面図、（ｂ）は正面図、（ｃ）は底面図、（ｄ）は背面図、（ｅ）は右側面図である。左側面から見た形状は右側面図に示したものと対称であるため、図示を省略している。
【００２４】
プッシュスイッチ２０の底面２０ａには、導電材料からなる第１接続端子２１ａ、２１ｂ、第２接続端子２２、第３接続端子２３、および絶縁材料からなる一対の位置決め突起２４が設けられている。第１接続端子２１ａは、底面２０ａより上方に折り曲げられて、その先端部が左側面２０ｂに面している。第１接続端子２１ｂは、底面２０ａより上方に折り曲げられて、その先端部が前面２０ｄに面している。第２接続端子２２は、底面２０ａより上方に折り曲げられて、その先端部が右側面２０ｃに面している。第３接続端子２３は、底面２０ａより上方に折り曲げられて、その先端部が右側面２０ｃに面している。
【００２５】
プッシュスイッチ２０の上面２０ｅには、本発明のプッシュ式アクチュエータとしての押し子２５が設けられている。押し子２５が押圧されることにより、第１接続端子２１ａ、２１ｂと第２接続端子２２とが電気的に接続される構成とされている。第３接続端子２３は、共通電位を提供するための電極であり、必要に応じて接地電極などとして用いられる。
【００２６】
位置決め突起２４を調整部材１０の前面１０ｂに形成された位置決め孔１６に挿入することにより、図１の（ｂ）に示すように、プッシュスイッチ２０が調整部材１０の前面１０ｂに装着される。このとき第１接続端子２１ａは第１導電端子１１に対向するように配置され、第２接続端子２２は第２導電端子１２に対向するように配置される。本実施形態においては、第１接続端子２１ｂおよび第３接続端子２３はオープンとされている。
【００２７】
次いで半田付け処理がなされることにより、第１接続端子２１ａと第２接続端子２２が、それぞれ第１導電端子１１と第２導電端子１２と電気的に接続されるとともに、プッシュスイッチ２０が調整部材１０の前面１０ｂ上に固定される。すなわち、調整部材１０の第１導電端子１１と第２導電端子１２は、前面１０ｂがプッシュスイッチ２０に対向することにより、当該プッシュスイッチ２０の備える第１接続端子２１ａおよび第２接続端子２２と電気的に接続可能とされている。
【００２８】
図３の（ａ）は、上記の調整部材１０およびプッシュスイッチ２０が実装される回路基板３０の一部を示す平面図である。回路基板３０の厚みを規定する端面３０ａには、凹部３０ｂが形成されている。凹部３０ｂの内側には、回路基板３０の上面３０ｃと下面３０ｄを連通する３つの挿通孔３１が形成されている。下面３０ｄにおける各挿通孔３１の周囲には、導電材料からなる接続端子３２が形成されている。
【００２９】
図３の（ｂ）は、プッシュスイッチ２０が装着された調整部材１０が回路基板３０に実装された状態を示す、図３の（ａ）における線IIIB−IIIBに沿う断面図である。調整部材１０の第３導電端子１３、第４導電端子１４、および第５導電端子１５が、それぞれ対応する挿通孔３１に装着されることにより、調整部材１０が回路基板３０の上面３０ｃ上に載置される。
【００３０】
次いではんだ付け処理がなされることにより、第３導電端子１３、第４導電端子１４、および第５導電端子１５が、それぞれ接続端子３２と電気的に接続されるとともに、調整部材１０が回路基板３０に対して固定される。すなわち、調整部材１０の第３導電端子１３と第４導電端子１４は、下面１０ｃが回路基板３０に対向することにより、当該回路基板３０の表面に設けられた接続端子群３２と電気的に接続可能とされている。
【００３１】
これにより、プッシュスイッチ２０、回路基板３０、およびこれらの間に介挿される調整部材１０によってスイッチユニット１が構成される。このときプッシュスイッチ２０の一部（第１接続端子２１ｂを含む下方に位置する部分）は、回路基板３０に形成された凹部３０ｂ内に収容され、回路基板３０の厚みを規定する端面３０ａに対向している。換言すると、調整部材１０の前面１０ｂにおける高さ方向の寸法は、当該前面１０ｂに装着されたプッシュスイッチ２０の同方向における寸法よりも小さい。プッシュスイッチ２０の一部を回路基板３０の厚みを利用して収容することにより、スイッチユニット１全体の高さ寸法を小さくすることができ、省スペースの要求に応えることができる。
【００３２】
図３の（ｂ）において、符号Ｎは、調整部材１０の前面１０ｂの法線を示している。法線Ｎの方向すなわち前面１０ｂの傾斜角は、プッシュスイッチ２０の押し子２５の変位方向に一致するように定められている。したがって前面１０ｂの傾斜角を適宜に定めることにより、回路基板３０の実装面と押し子２５の変位方向がなす角度を任意に定めることができる。
【００３３】
図４の（ａ）は、上記のスイッチユニット１が電子機器９０に搭載された状態を模式的に示す図である。電子機器９０の筺体の角部には、ボタン９１が設けられている。スイッチユニット１は、プッシュスイッチ２０の押し子２５の変位方向がボタン９１の変位方向に一致するように、筺体の内部に配置されている。換言すると、電子機器９０に設けられたボタン９１の変位方向に押し子２５の変位方向が一致するように、調整部材１０の前面１０ｂの法線方向すなわち傾斜角が定められている。これによりボタン９１の押し子２５に対する接触状態を最適化することができる。
【００３４】
例えば図４の（ｂ）に示す第１の比較例のように、汎用品のプッシュスイッチ２０および回路基板３０のみで構成されたスイッチユニット１０１が、筺体の角部にボタン９１が設けられた電子機器９０に搭載される場合を考える。省スペースの観点からは図示のような配置が望ましいが、ボタン９１の変位方向と押し子２５の変位方向が一致していないため、良好な操作感が得られないのみならず、応力集中による破損のおそれが生ずる。
【００３５】
スイッチユニット１０１を用いて図４の（ａ）に示すようなボタン９１と押し子２５の最適接触状態を得るためには、回路基板３０を傾斜させてその法線方向をボタン９１の変位方向に一致させる必要がある。またはボタン９１と押し子２５の対向面が互いに平行となるように追加加工を施す必要がある。このような設計変更は、部品レイアウト上の制約や製造コストの上昇を伴うことを避けられない。
【００３６】
また図４の（ｃ）に示す第２の比較例のように、汎用品の回路基板３０に専用品のプッシュスイッチ１２０が実装されたスイッチユニット１０２が、筺体の角部にボタン９１が設けられた電子機器９０に搭載される場合を考える。プッシュスイッチ１２０は、回路基板３０に実装されたときに押し子１２５の変位方向がボタン９１の変位方向と一致するように調整された形状を有する本体１２０ａを備えている。このような構成によれば、ボタン９１と押し子１２５の最適な接触状態は得られるものの、搭載される電子機器の仕様変更ごとに本体１２０ａの形状を設計し直す必要があり、部品コストおよび製造コストの上昇が避けられない。
【００３７】
一方、本実施形態に係る調整部材１０を用いることにより、上記のような問題を回避することができる。搭載される電子機器９０の仕様変更に応じて調整部材１０の形状を設計変更するのみで、汎用品としてのプッシュスイッチ２０および回路基板３０を使用しながらも、操作感が良好なスイッチユニット１を構成することができる。
【００３８】
本実施形態においては、押し子２５の変位方向と調整部材１０の前面１０ｂの法線方向が一致しているため、ボタン９１の操作による押圧力を確実に受け止めることができる。
【００３９】
また本実施形態においては、調整部材１０の下面１０ｃは、第３導電端子１３および第４導電端子１４よりも前面１０ｂから離れた位置まで延びる部分１０ｄを有している。当該部分１０ｄは、押し子２５の操作によって調整部材１０を回路基板３０から剥離しようとする力が作用した場合に、回路基板３０の上面３０ｃに押し付けられる部分となる。したがって、調整部材１０の回路基板３０からの剥離を生じにくくすることができる。
【００４０】
この特徴は、特に本実施形態のように、調整部材１０の前面１０ｂと下面１０ｃのなす角度が鈍角である場合（前面１０ｂが斜め下方を向いている場合）に有用である。押し子２５を押圧する力は調整部材１０を回路基板３０から剥離する向きに作用するものの、この力により生ずる回転モーメントは、部分１０ｄを回路基板３０に押し付ける力として作用するためである。
【００４１】
本実施形態においては、第５導電端子１５は、電気的接続に関与しないダミー端子である。第３導電端子１３と第４導電端子１４の間に配置され、回路基板３０の一部である接続端子３２にはんだ付けされることにより、調整部材１０がより堅固に回路基板３０に対して固定されうる。この特徴も調整部材１０の回路基板３０からの剥離防止に寄与する。
【００４２】
次に図５および図６を参照しつつ、本発明の第２の実施形態に係る調整部材５０について説明する。図５は、調整部材５０の外観を示す５面図であり、（ａ）は上面図、（ｂ）は正面図、（ｃ）は底面図、（ｄ）は背面図、（ｅ）は左側面図である。右側面から見た形状は左側面図に示したものと対称であるため、図示を省略している。
【００４３】
本実施形態の調整部材５０は、絶縁性の樹脂からなる本体部５０ａを備えている。側面視Ｌ字状の外観を呈する本体部５０ａは、本発明の第１の面としてのスイッチ装着面５０ｂ、および本発明の第２の面としての基板装着面５０ｃを備えている。スイッチ装着面５０ｂと基板装着面５０ｃの延びる方向は直交している。すなわちスイッチ装着面５０ｂと基板装着面５０ｃの法線方向は異なっている。
【００４４】
スイッチ装着面５０ｂには、第１導電端子５１および第２導電端子５２が設けられている。基板装着面５０ｃには、第３導電端子５３および第４導電端子５４が設けられている。第１導電端子５１と第２導電端子５２の表面は、スイッチ装着面５０ｂと実質的に同一平面をなしている。第３導電端子５３と第４導電端子５４の表面は、基板装着面５０ｃと実質的に同一平面をなしている。
【００４５】
第１導電端子５１と第３導電端子５３は、インサート成型により本体部５０ａ内に埋設された図示しないバスバーの両端である。また第２導電端子５２と第４導電端子５４は、インサート成型により本体部５０ａ内に埋設されたバスバーの両端である。すなわち、第１導電端子５１と第３導電端子５３は電気的に接続されている。また第２導電端子５２と第４導電端子５４は、電気的に接続されている。
【００４６】
図６の（ａ）に示すプッシュスイッチ６０は、周知の構成を有するものである。プッシュスイッチ６０の図示しない底面には、導電材料からなる第１接続端子６１および第２接続端子６２が設けられ、左右の側面より突出するように延びている。プッシュスイッチ６０は、本発明のプッシュ式アクチュエータとしての押し子６５を備えている。押し子６５が押圧されることにより、第１接続端子６１と第２接続端子６２が電気的に接続される構成とされている。
【００４７】
プッシュスイッチ６０が調整部材５０のスイッチ装着面５０ｂに装着されると、第１接続端子６１は第１導電端子５１に対向するように配置され、第２接続端子６２は第２導電端子５２に対向するように配置される。
【００４８】
次いで半田付け処理がなされることにより、第１接続端子６１と第２接続端子６２が、それぞれ第１導電端子５１と第２導電端子５２と電気的に接続されるとともに、プッシュスイッチ６０が調整部材５０のスイッチ装着面５０ｂ上に固定される。すなわち、調整部材５０の第１導電端子５１と第２導電端子５２は、スイッチ装着面５０ｂがプッシュスイッチ６０に対向することにより、当該プッシュスイッチ６０の備える第１接続端子６１および第２接続端子６２と電気的に接続可能とされている。
【００４９】
図６の（ｂ）は、プッシュスイッチ６０が装着された調整部材５０が回路基板７０に載置された状態を示している。このとき調整部材５０の第３導電端子５３および第４導電端子５４が、それぞれ回路基板７０の表面に設けられた対応する接続端子７１と対向するように配置される。
【００５０】
次いではんだ付け処理がなされることにより、第３導電端子５３および第４導電端子５４が、それぞれ接続端子７１と電気的に接続されるとともに、調整部材５０が回路基板７０に対して固定される。すなわち、調整部材５０の第３導電端子５３と第４導電端子５４は、基板装着面面５０ｃが回路基板７０に対向することにより、当該回路基板７０の表面に設けられた接続端子群７１と電気的に接続可能とされている。
【００５１】
これにより、プッシュスイッチ６０、回路基板７０、およびこれらの間に介挿される調整部材５０によってスイッチユニット１Ａが構成される。このときプッシュスイッチ６０の一部は、回路基板７０の厚みを規定する端面７０ａに対向するように配置されている。通常は部品が配置されることのない端面７０ａを利用することにより、スイッチユニット１Ａ全体の高さ寸法を小さくすることができ、省スペースの要求に応えることができる。
【００５２】
また本実施形態においては、スイッチ装着面５０ｂと回路基板７０の厚みを規定する端面７０ａが平行となるように、調整部材５０が配置されている。換言すると、端面７０ａおよびスイッチ装着面５０ｂの法線方向と、押し子６５の変位方向が一致している。そのため押し子６５の操作に伴う押圧力を確実に受け止めることができる。
【００５３】
上記の実施形態は本発明の理解を容易にするためのものであって、本発明を限定するものではない。本発明は、その趣旨を逸脱することなく変更・改良され得ると共に、本発明にはその等価物が含まれることは勿論である。
【００５４】
調整部材１０、５０とプッシュスイッチ２０、６０の組合せは任意である。したがって、調整部材１０の前面１０ｂにプッシュスイッチ６０を装着してもよく、調整部材５０のスイッチ装着面５０ｂにプッシュスイッチ２０を装着してもよい。プッシュスイッチは周知の構成を有する任意のものを装着することができ、端子の数や形状に応じて調整部材１０の前面１０に設けられる第１導電端子１１と第２導電端子１２、または調整部材５０のスイッチ装着面５０ｂに設けられる第１導電端子５１と第２導電端子５２の形状や配置は、適宜に変更可能である。
【００５５】
また調整部材１０、５０に装着されるスイッチは、プッシュスイッチに限られるものではない。例えば図７に示すように、スライドスイッチ８０が調整部材５０に装着される構成を採用することができる。周知の構成を有するスライドスイッチ８０は、図中左右方向に変位可能なスライド式操作部８５を備えており、その位置に応じて第１接続端子８１と第２接続端子の接続・非接続状態が変化する構成とされている。
【００５６】
この場合、調整部材５０のスイッチ装着面５０ｂの法線方向は、スライド式操作部８５の変位方向と直交する向きに定められる。調整部材１０の前面１０ｂの法線方向についても同様である。
【００５７】
調整部材１０、５０と回路基板３０、７０の組合せもまた任意である。したがって、回路基板３０の凹部３０内にスイッチ装着面５０ｂの一部が収容されるように、調整部材５０を配置してもよい。但し調整部材５０の第３導電端子５３および第４導電端子５４と電気的に接続される接続端子を、回路基板３０の上面３０ｃに設けることを要する。一方、調整部材１０の第３導電端子１３、第４導電端子１４、および第５導電端子１５が挿入される挿通孔を回路基板７０に形成し、端縁７０ａに形成された凹部内に調整部材１０が配置される構成としてもよい。一般に挿通孔に導電端子を挿入して電気的接続および固定を行なう方が、調整部材が回路基板から剥離しにくい構成とすることができる。
【００５８】
凹部３０ｂは、必ずしも回路基板３０の厚み寸法を規定する端面３０ａに形成されることを要しない。回路基板３０の厚みをスイッチの一部を収容するために利用可能な限りにおいて、凹部３０ｂは回路基板３０の上面３０ｃに形成されていてもよい。
【００５９】
調整部材１０における第５導電端子１５は、必ずしも電気的接続に関与しないダミー端子であることを要しない。本体部１０ａの内側または外側に導電経路を設け、プッシュスイッチ２０の第１接続端子２１ｂや第３接続端子２３が接続される構成としてもよい。いずれの端子をどのような目的で使用するかは、スイッチユニット１が搭載される電子機器の仕様に応じて適宜に決定されうる。
【００６０】
調整部材１０の前面１０ｂが下面１０ｃとなす角度、および調整部材５０のスイッチ装着面５０ｂが基板装着面５０ｃとなす角度は、スイッチユニット１、１Ａが搭載される電子機器の仕様に応じて適宜に決定されうる。各実施形態において示した鈍角、直角に限らず、鋭角とされてもよい。すなわち前面１０ｂおよびスイッチ装着面５０ｂは上方に傾斜していてもよい。
【００６１】
調整部材１０の本体部１０ａ、および調整部材５０の本体部５０ａは、必ずしもインサート成型により得られるモノリシックな構造であることを要しない。スイッチが装着される面に設けられた導電端子と、基板に装着される面に設けられた導電端子とが電気的に接続されうるならば、それぞれが導電経路を備える２つ以上のブロックを適宜に組合せ、任意の形状の調整部材が組み立てられる構成としてもよい。
【００６２】
上記の説明における「上方」「下方」という表現は、図面を参照した説明において便宜上用いたに過ぎず、製品の使用時における方向を限定する意図ではない。「上方」および「下方」は、各々「回路基板から離間する方向」および「回路基板に接近する方向」と言い換えることができる。
【符号の説明】
【００６３】
１：スイッチユニット、１０：調整部材、１０ｂ：前面、１０ｃ：下面、１０ｄ：第３導電端子および第４導電端子よりも前面から離れた位置まで延びる部分、１１：第１導電端子、１２：第２導電端子、１３：第３導電端子、１４：第４導電端子、１５：第５導電端子、２０：プッシュスイッチ、２１ａ、２１ｂ：第１接続端子、２２：第２接続端子、２３：第３接続端子、２５：押し子、３０：回路基板、３０ａ：回路基板の厚みを規定する端面、３０ｂ：凹部、３２：接続端子群、Ｎ：前面の法線
【図１】
2014130760.tif 000003
【図２】
2014130760.tif 000004
【図３】
2014130760.tif 000005
【図４】
2014130760.tif 000006
【図５】
2014130760.tif 000007
【図６】
2014130760.tif 000008
【図７】
2014130760.tif 000009